(57)【要約】【課題】  無停電電源装置の信頼性およびメンテナンス性の向上を図る無停電電源装置の遠方監視システムを提供する。【解決手段】  無停電電源装置システム２−１〜２−ｎと、ホストコンピュータ１１を備えた監視センタ１とを通信回線で接続し、ホストコンピュータ１１には通信回線を介して無停電電源装置システム２−１〜２−ｎと情報の送受を行う送受信手段とその送受信内容を処理する情報処理手段を備え、無停電電源装置２１−１〜２１−ｎには通信回線を介して監視センタ１と情報の送受を行う送受信手段とその送受信内容を処理する情報処理手段を備える。【効果】  無停電電源装置の故障発生および故障原因を迅速に把握することができ、また無停電電源装置に対し信号を送信することで無停電電源装置の信頼性およびメンテナンス性の向上を図ることができる。【選択図】図１
2004350497.tif 000002
【特許請求の範囲】
【請求項１】
通信回線と、
該通信回線に接続される、無停電電源装置提供側の監視システム及び無停電電源装置使用者側の無停電電源装置システムと、
を備え、
前記監視システム及び前記無停電電源装置システムが、それぞれ、
無停電電源装置に関する情報を入力する入力装置と、
前記情報を出力する出力装置と、
前記入力装置から入力された前記情報または前記出力装置から出力する前記情報を処理する情報処理手段と、
前記情報処理手段が処理した前記情報を前記通信回線に送信すると共に、前記情報を通信回線から受信し前記情報処理手段に与える送受信手段と、
を有することを特徴とする無停電電源装置の制御システム。
【請求項２】
請求項１において、前記情報が無停電電源装置の故障に関する故障情報であり、無停電電源装置が故障した際には、前記無停電電源装置システムにおいて、前記入力手段から入力された前記故障情報を、無条件に、前記情報処理手段が処理し、前記送受信手段が前記通信回線に送信することを特徴とする無停電電源装置の制御システム。
【請求項３】
請求項１において、前記情報が無停電電源装置の制御パラメータであり、
前記監視システムにおいて、前記情報処理手段が前記制御パラメータを演算し、前記送受信手段は前記制御パラメータを前記通信回線に送信し、
前記無停電電源装置システムにおいて、前記送受信手段は前記通信回線から前記制御パラメータを受信し、前記情報処理手段は受信された制御パラメータを無停電電源装置の制御装置に設定することを特徴とする無停電電源装置の制御システム。
【発明の詳細な説明】
【技術分野】
【０００１】
本発明は、無停電電源装置の制御システムに関する。
【背景技術】
【０００２】
電子計算機システムの電源としては、停電時のシステムダウンを避けるため、通常、無停電電源装置が用いられる。この無停電電源装置は、商用電源が停電した時、内蔵される蓄電池の直流電力をインバータによって交流電力に変換して負荷への電力供給を続ける。
【０００３】
無停電電源装置の制御方式としては、装置内部の制御部が停電発生を判定し電子計算機に停電発生信号を送出する方式や、電子計算機と無停電電源装置をデータ転送ラインを介してインターフェイス接続し、電子計算機が無停電電源装置を直接制御する方式がある。特に後者の方式の場合、電子計算機が停電検知レベルなどの制御パラメータを設定変更できると共に、無停電電源装置の動作状態を監視することができる。このため、電力の変動状態に柔軟に対応できると共に、無停電電源装置の動作異常によるシステムダウンを避けることができるので、システムの信頼性が向上する。
【０００４】
なお、電子計算機が無停電電源装置を直接制御する方式としては、例えば、特開平6−
124145号公報に記載される技術が知られている。
【０００５】
【特許文献１】特開平６−１２４１４５号公報
【発明の開示】
【発明が解決しようとする課題】
【０００６】
上記従来の技術では、信頼性の高い制御システムとするためには、結局のところ、無停電電源装置提供側が装置の動作状態に関する情報を解析して、その結果を制御パラメータの設定や制御プログラムの改良に反映させることが必要である。その際、無停電電源装置提供側は、無停電電源装置に関する情報を、ユーザーから受けるか専門保守員がユーザー元に出向いて装置を調べることにより得ているため、詳細な情報の不足や情報入手の遅れなどの問題がある。
【０００７】
本発明は、上記の問題を考慮してなされたものであり、無停電電源装置の信頼性やメンテナンス性を向上できる制御システムを提供することを目的とする。
【課題を解決するための手段】
【０００８】
本発明による、無停電電源装置の制御システムにおいては、無停電電源装置提供側の監視システムと無停電電源装置使用者側の無停電電源装置システムがそれぞれ通信回線に接続される。監視システム及び無停電電源装置システムは、それぞれ、無停電電源装置に関する情報を入力する入力装置と、情報を出力する出力装置と、入力装置から入力された情報または出力装置から出力する情報を処理する情報処理手段と、情報処理手段が処理した情報を通信回線に送信すると共に、情報を通信回線から受信し情報処理手段に与える送受信手段を有する。
【０００９】
このような制御システムにより、無停電電源装置の提供者が、遠隔地において使用者側の無停電電源装置に関する情報を取得できるので、その情報に基づいて故障や保守点検に迅速に対応できる。従って、無停電電源装置の信頼性やメンテナンス性を向上できる。
【００１０】
特に、無停電電源装置が故障した際には、無停電電源装置システムにおいて、入力手段から入力された故障情報を、無条件に、情報処理手段が処理し、送受信手段が前記通信回線に送信することにより、提供者側がより迅速に対応できるようになる。
【００１１】
また、監視システムにおいて、情報処理手段が制御パラメータを演算し、送受信手段が制御パラメータを通信回線に送信し、無停電電源装置システムにおいて、送受信手段が通信回線からその制御パラメータを受信し、情報処理手段が受信された制御パラメータを無停電電源装置の制御装置に設定することにより、装置提供者が遠隔地から使用者側の無停電電源装置の制御パラメータを設定することができる。このとき、提供者側では、制御パラメータを設定する１使用者の無停電電源装置に関する情報のみならず、他の使用者の無停電電源装置に関する情報及び提供者が試験あるいは実験して得た情報あるいはノウハウなど、各種の情報を利用できるので、高精度の制御パラメータ設定が可能になる。
【００１２】
無停電電源装置に関する情報としては、運転状態情報，運転来歴情報，蓄電池残容量，保守交換部品情報，無停電電源装置制御情報，故障情報などがある。なお、これらの情報の形態は、各種物理量のみならず、映像あるいは音であってもよい。情報の入力装置としては、各種センサ，カメラ，マイク等があり、情報の出力装置としては、各種計器，表示装置，スピーカ等がある。通信回線としては、ＷＡＮ（広域ネットワーク）等がある。さらに、送受信手段及び情報処理手段は、無停電電源装置の内部にあっても良いし、外部にあってもよい。なお、無停電電源装置提供者は、無停電電源装置のメーカーのみならず、保守専門の業者であってもよい。
【発明の効果】
【００１３】
本発明の無停電電源装置の遠方監視システムでは、無停電電源装置システムと監視センタの間を通信回線で接続することにより、無停電電源装置の提供側がユーザーの無停電電源装置の運転状態や運転来歴等の各種情報を迅速に把握し制御方法の改良に反映させることができる。このため、無停電電源装置の信頼性およびメンテナンス性の向上を図ることができる。
【発明を実施するための最良の形態】
【００１４】
図１に本発明の一実施例を示す。図１において１は無停電電源装置提供側における監視センタ、２−１〜２−ｎは使用側の無停電電源装置システム、３はＷＡＮなどの通信回線、３１および３２−１〜３２−ｎはＬＡＮである。監視センタ１と無停電電源装置システム２−１〜２−ｎは通信回線３とＬＡＮ３１および３２−１〜３２−ｎを介してそれぞれ通信回線３に接続され、これらのＬＡＮと通信回線を介して両者間で情報の送受が行われる。
【００１５】
監視センタ１は無停電電源装置システム２−１〜２−ｎからの情報を処理し、かつ無停電電源装置システム２−１〜２−ｎの全部または一部に無停電電源装置の動作状態に関する情報を要求し、または無停電電源装置システムの制御を行うホストコンピュータ１１と、映像を取り込むカメラ１２と、音声を取り込むマイク１３と、映像または情報を表示するモニタ１４と、音声を出力するスピーカ１５を備える。ホストコンピュータ１１は無停電電源装置システム２−１〜２−ｎと情報の送受を行う送受信部１１１と無停電電源装置システム２−１〜２−ｎからの情報を処理する情報処理部１１２を備えている。
【００１６】
無停電電源装置システム２−１〜２−ｎは無停電電源装置本体２１−１〜２１−ｎと、映像を取り込むカメラ２２−１〜２２−ｎと、音声を取り込むマイク２３−１〜２３−ｎと、映像または情報を表示するモニタ２４−１〜２４−ｎと、音声を出力するスピーカ
２５−１〜２５−ｎを備える。無停電電源装置本体２１−１〜２１−ｎは監視センタ１と情報の送受を行う送受信部２１１−１〜２１１−ｎと、故障情報または監視センタ１からの要求情報または制御信号を処理する情報処理部２１２−１〜２１２−ｎを備えている。
【００１７】
なお、無停電電源装置システム２−１〜２−ｎのカメラ２２−１〜２２−ｎ，マイク
２３−１〜２３−ｎ，モニタ２４−１〜２４−ｎおよびスピーカ２５−１〜２５−ｎは無停電電源装置２１−１〜２１−ｎに内蔵されていても、無停電電源装置外にあってもよい。
【００１８】
上記監視センタ１と無停電電源装置システム２−１〜２−ｎの情報の送受は図２に示すような手順で行われる。
【００１９】
無停電電源装置本体２１−１〜２１−ｎの一部または全部に故障が発生した時、無停電電源装置内部で運転状態を監視している制御回路が故障であることを判定すると情報処理部２１２−１〜２１２−ｎは故障発生時間，故障原因等の故障情報を処理し、送受信部
２１１−１〜２１１−ｎは監視センタ１にアクセスし故障情報を送信する。
【００２０】
監視センタ１が故障情報を受信するとホストコンピュータ１１内の情報処理部１１２において故障情報及びあらかじめ登録してある顧客データ等を処理し、モニタ１４に故障発生先，無停電電源装置形式，故障時間，故障原因等を表示し、かつスピーカ１５により故障発生を音声で知らせる。
【００２１】
故障原因等の詳細を得るために無停電電源装置本体２１−１〜２１−ｎの内部の映像または音声を必要とする時、監視センタ１のカメラ１２，マイク１３，モニタ１４及びスピーカ１５と、無停電電源装置システム２−１〜２−ｎのカメラ２２−１〜２２−ｎ，マイク２３−１〜２３−ｎ，モニタ２４−１〜２４−ｎ及びスピーカ２５−１〜２５−ｎにより、監視センタ員と無停電電源装置システム使用者が故障発生時の周辺環境や操作方法等について会話を行い、また無停電電源装置システム２−１〜２−ｎのカメラ２２−１〜
２２−ｎとマイク２３−１〜２３−ｎにより無停電電源装置内部のブレーカのＯＮ／OFF，配線状況及び異音等を把握する。
【００２２】
監視センタ１から無停電電源装置システム２−１〜２−ｎの全部または一部に運転状態や運転来歴または保守交換部品等の情報を要求または制御を行う時、情報処理部１１２は必要なデータを要求する信号または制御信号を作成し、無停電電源装置システム２−１〜２−ｎの全部または一部にアクセスする。
【００２３】
無停電電源装置システム２−１〜２−ｎの情報処理部２１２−１〜２１２−ｎは監視センタからの信号が情報要求であるのか制御信号であるのかを判断し、情報要求の場合はその要求を満たすデータを処理し監視センタ１に送信する。監視センタ１は無停電電源装置システム２−１〜２−ｎからの情報を処理しモニタに表示する。制御信号の場合はその信号を無停電電源装置制御回路に送り制御を行わせる。
【００２４】
監視センタ１におけるホストコンピュータは、ユーザーの無停電電源装置システムから送られる運転情報に基づいて制御パラメータを演算し、ＬＡＮ及び通信回線を介して遠隔地からユーザーの無停電電源装置の制御パラメータを設定変更することができる。例えば、無停電電源装置２１−１の制御パラメータを設定する場合は次の通りである。無停電電源装置システム２−１から送信された無停電電源装置２１−１の運転情報を、監視システムの送受信部１１１が、通信回線３からＬＡＮ３１を介して受信する。この運転情報に基づいて、情報処理部１１２が無停電電源装置２１−１の制御パラメータを演算する。演算されたパラメータは、送受信部１１１により、ＬＡＮ３１を介して通信回線３に送信される。無停電電源装置システム２−１の送受信部２１１−１は、通信回線３からＬＡＮ３２−１を介して制御パラメータを受信する。さらに、情報処理部２１２−１が、受信された制御パラメータを無停電電源装置の制御装置（図示されていない）に設定する。このように、本実施例によれば、提供者側が遠隔地からユーザーの無停電電源装置の制御パラメータを設定変更することができる。
【００２５】
また、ホストコンピュータは、複数のユーザーの無停電電源装置システムから送られる運転情報を逐次蓄積している。さらに、ホストコンピュータは、無停電電源装置提供側における構内試験データやノウハウを含む制御方法に関するデータなど、提供者側自身が取得した無停電電源装置の運転状態に関するデータを蓄積している。ホストコンピュータは、１ユーザーの無停電電源装置システムについて、複数のユーザーのデータと提供者側自身が取得したデータに基づいて、無停電電源装置の運転状態を多面的かつ総合的に判断する。従って、監視センタがユーザーから離れた遠隔地にあっても、運転状態を非常に的確に判断できると共に、正確な制御パラメータの設定が可能になる。
【００２６】
このように無停電電源装置提供側の監視センタ１とユーザーの無停電電源装置システム２−１〜２−ｎを通信回線３とＬＡＮ３１および３２−１〜３２−ｎで接続することにより、故障発生または保守交換部品等の情報を迅速に得また制御することで無停電電源装置の信頼性及びメンテナンス性の向上を図ることができる。
【図面の簡単な説明】
【００２７】
【図１】本発明の実施例におけるシステム構成。
【図２】上記実施例の処理手順を示すフローチャート。
【符号の説明】
【００２８】
１…監視センタ、２−１〜２−ｎ…無停電電源装置システム、３…通信回線、１１…ホストコンピュータ、１２…（監視センタ）カメラ、１３…（監視センタ）マイク、１４…（監視センタ）モニタ、１５…（監視センタ）スピーカ、２１−１〜２１−ｎ…無停電電源装置、２２−１〜２２−ｎ…（無停電電源装置システム）カメラ、２３−１〜２３−ｎ…（無停電電源装置システム）マイク、２４−１〜２４−ｎ…(無停電電源装置システム)モニタ、２５−１〜２５−ｎ…（無停電電源装置システム）スピーカ、３１，３２−１〜３２−ｎ…ＬＡＮ、１１１…（ホストコンピュータ内）送受信部、１１２…（ホストコンピュータ内）情報処理部、２１１−１〜２１１−ｎ…（無停電電源装置内）送受信部、
２１２−１〜２１２−ｎ…（無停電電源装置内）情報処理部。
【図１】
2004350497.tif 000003
【図２】
2004350497.tif 000004